(57)【要約】  【課題】  トロリ線の曲りを高い精度で形成すると共に、曲げ角を容易に変更できるトロリ線曲げ装置を提供する。【解決手段】  枠体１の中枠板１ａにトロリ線Ｔを間隔を置いて把持する把持部材２，２を枢支する。枠体１の上枠板１ｂに把持部材２，２間中央部に上方から臨み、トロリ線Ｔの把持部分中央を油圧駆動で押し下げて曲げる押圧部材３を支持する。把持部材２は、中枠板１ａに水平の回転軸９によりトロリ線Ｔの曲げに沿って回転可能に枢支し、ヒンジ部によりトロリ線Ｔを挟み込むように開閉可能な基体５と押さえ蓋６で構成する。基体５と押さえ蓋６には、相対向する内側にトロリ線Ｔの両係合溝に対応する係合突条６ｃ，８ｂを備えた、トロリ線Ｔを受け入れる水平方向に延びた受け溝６ｂ，８ａを具備する。枠体１の下枠板１ｃには、押圧部材３に上下に対向して押圧部材３によるトロリ線Ｔの押し下げ位置を規制する高さ変更可能なストッパ４を立設する。【選択図】  図６
2019171921.tif 000002
【特許請求の範囲】
【請求項１】
垂直の中枠板に上下に対向する水平の上枠板及び下枠板を備えた枠体と、
前記中枠板の上下略中間部の幅方向前後両端部に枢支され、トロリ線を長さ方向に間隔を置いて把持可能な一対の把持部材と、
前記上枠板に支持され、一対の前記把持部材の相互間中央部に上方から臨み、先端部を所定長さを残して把持部材にそれぞれ保持されたトロリ線の把持部分の中央部を上方から油圧駆動で押し下げてトロリ線の一端部を曲げ加工する押圧部材とを具備するトロリ線曲げ装置において、
前記把持部材は、前記中枠板に水平の回転軸によりトロリ線の曲げに沿って回転可能に枢支され、下端部においてヒンジ部により互いに連結され、上端部同士をねじ留めしてトロリ線を挟み込むように相互間を開閉可能に構成され、相対向する内側にトロリ線を受け入れる水平方向に延びた直線上の受け溝にトロリ線の両係合溝に対応する係合突条をそれぞれ備える一対の挟持片を具備し、
前記押圧部材は、前記上枠板に固定され、下方へ進退可能に突出したピストンロッドを備えた油圧シリンダと、このピストンロッドに固定され、下端部に所定形状に曲げ加工する下端に頂部を有する略三角形状の曲げ型とを具備し、
前記枠体の下枠板には、前記押圧部材に上下に対向して押圧部材によるトロリ線の押し下げ位置を規制する高さ変更可能なストッパが立設されていることを特徴とするトロリ線曲げ装置。
【請求項２】
前記ストッパは、前記下枠板に固定される調整ナットと、ねじ軸が前記調整ナットに螺合し、上端に前記押圧部材に押し下げられたトロリ線が当接する止め座を備えた調整ボルトと、この調整ボルトに螺合して締め込みにより前記調整ナットに圧接するロックナットとを具備し、
前記調整ボルトを回転させることにより止め座の上下位置を変更して、トロリ線の曲がり角度を変更することを特徴とする請求項１に記載のトロリ線曲げ装置。
【請求項３】
前記把持部材に固定された加工対象のトロリ線と直交方向に立ち上がり、トロリ線の先端を当接させて把持部材から先端までの所定長さを残すことにより曲げ位置を位置決めする位置決め片を具備することを特徴とする請求項１又は２に記載のトロリ線曲げ装置。
【発明の詳細な説明】
【技術分野】
【０００１】
本発明は、電車線の交流電化区間の隣接区間を互いに電気的に絶縁しつつ接続するセクションインシュレータにトロリ線の端部を組み付けるために、トロリ線の端部を上方へ折り曲げるトロリ線曲げ装置に関するものである。
【背景技術】
【０００２】
図７に示すように、セクションインシュレータＳは、電車線路の延線方向に隣接して架設された二つのトロリ線Ｔ１，Ｔ２の隣接端部間を絶縁部材Ｓ１で電気的に絶縁しつつ、絶縁部材Ｓ１の両端部に固定される接続金具Ｓ２で引き留め、絶縁部材Ｓ１に沿うスライダＳ３，Ｓ４で給電を途切れさせることなくパンタグラフを摺動させるものである。トロリ線Ｔ１，Ｔ２の端部はパンタグラフの摺動位置から待避するように斜め上方に折り曲げた状態でセクションインシュレータＳの接続金具Ｓ２に組み入れられる。
従来、トロリ線を曲げ加工するために、先端部がコ字状に折り返された把手付きの補助工具を二つ用い、一方の先端部をトロリ線の曲げ加工部分に、他方をトロリ線の先端部にそれぞれ引っ掛けて、一方を固定したまま他方の手元側の把手を直交方向上側に押し上げ回してトロリ線の端部を曲げるものがある（特許文献１）。
また、ベース本体の対向する一対の側面の下部間に軸支されてトロリ線を支持する水平の支持部と、同じく両側面の上部間に中間部を軸支され、一端側にトロリ線を押圧する押圧体を、他端縁にギアとを備えた傾動部と、基端部に傾動部のギアに噛み合うギアを備えて側面間に回転可能に軸支されるハンドルとからなるトロリ線の曲げ具がある（特許文献２）。
さらに、油圧ジャッキで昇降可能な摺動部材の前後両側にトロリ線を曲げ加工する一対の押上部材を固定し、押上部材の相互間にトロリ線を曲げ加工する略三角形状の曲げ部材を臨ませて固定し、曲げ部材の突出角部にトロリ線を支持する一対の挟持爪が設けられたトロリ線曲げ工具がある（特許文献３）。
【先行技術文献】
【特許文献】
【０００３】
【特許文献１】特開2000-280795号公報
【特許文献２】特開2012-157897号公報
【特許文献３】登録実用新案第3121205号公報
【発明の開示】
【発明が解決しようとする課題】
【０００４】
トロリ線の曲げ角度や曲率が正確でないと、セクションインシュレータの接続金具による引き留めが不十分になって、引張強度が不足し所期の性能を発揮できなかったり、接続金具からトロリ線がパンタグラフの通過位置に突出してトロリ線の局部的な摩耗が生じ破断に至るおそれがある。このためトロリ線の曲げ工具は、曲げの角度や曲率に高い精度が要求される。
しかし、上記従来の特許文献１に記載の折り曲げ補助工具は、腕力に頼った曲げ操作になって作業者に過大な労力を強いるし、曲げ角度や曲率の精度が低い。
特許文献２に記載の曲げ具は、ハンドル部の傾動操作に伴いギアの噛み合う傾動部が枢支位置を支点として押圧体がトロリ線を押し上げるように傾動して曲げ下降するが、折り曲げが進むにつれ支点がトロリ線の伸長方向に相対移動して、曲率の最小な適正な曲げ部分から直線部分への移行箇所に曲率の大きな曲げが生じるいわゆる曲げの癖が生じ易い。また、トロリ線の曲げ方向を規制する構造でないため、曲げ方向を誤り易い。
特許文献３に記載の曲げ工具は、曲げ角度や曲率の精度が比較的高いが、異なる角度や曲率に対応した工具や部品の交換が必要となる。
そこで本発明は、上記のような問題点を解決し、作業者に大きな労力を強いることなく、トロリ線をセクションインシュレータに整合する高い精度の角度や曲率で適正な方向に曲げ、またその角度を容易に調整できるトロリ線曲げ装置を提供することを目的としている。
【課題を解決するための手段】
【０００５】
前記課題を解決するため、本発明に係るトロリ線曲げ装置は、垂直の中枠板１ａに上下に対向する水平の上枠板１ｂ及び下枠板１ｃを備えた枠体１と、中枠板１ａの上下略中間部の幅方向前後両端部に枢支され、トロリ線Ｔを長さ方向に間隔を置いて把持可能な一対の把持部材２，２と、上枠板１ｂに支持され、一対の把持部材２，２の相互間中央部に上方から臨み、先端部を所定長さ残して把持部材２にそれぞれ保持されたトロリ線Ｔの把持部分の中央部を上方から油圧駆動で押し下げてトロリ線Ｔの一端部を曲げ加工する押圧部材３とを具備させる。把持部材２は、中枠板１ａに水平の回転軸９によりトロリ線Ｔの曲げに沿って回転可能に枢支され、下端部においてヒンジ部５ａ，６ａにより互いに連結され、上端部同士をねじ留めしてトロリ線Ｔを挟み込むように相互間を開閉可能な一対の挟持片５，６で構成する。挟持片５，６は、相対向する内側にトロリ線Ｔを受け入れる水平方向に延びた直線上の受け溝６ｂ，８ａにトロリ線Ｔの両係合溝に対応する係合突条６ｃ，８ｂをそれぞれ備える。押圧部材３は、上枠板１ｂに固定され、下方へ進退可能に突出したピストンロッド１４ａを備えた油圧シリンダ１４と、このピストンロッド１４ａに固定され、下端部に所定形状に曲げ加工する下端に頂部１５ａを有する略三角形状の曲げ型１５とを具備させる。枠体１の下枠板１ｃには、押圧部材３に上下に対向して押圧部材３によるトロリ線Ｔの押し下げ位置を規制する高さ変更可能なストッパ４を立設する。
【発明の効果】
【０００６】
本発明によれば、作業者に大きな力を要することなく、簡単にトロリ線を折り曲げ操作することができ、また曲げ方向を誤ることなく、角度や曲率を高い精度で曲げ加工できるし、角度を容易に変更でき、曲げ部分から直線部分への移行箇所に曲げの癖が残ることがないという効果を有する。
【図面の簡単な説明】
【０００７】
【図１】本発明に係るトロリ線曲げ装置の斜視図である。
【図２】本発明に係るトロリ線曲げ装置の正面図である。
【図３】図１のトロリ線曲げ装置の側面図である。
【図４】図１のトロリ線曲げ装置の平面図である。
【図５】把持部材の開放状態の斜視図である。
【図６】トロリ線を曲げた状態のトロリ線曲げ装置の正面図である。
【図７】セクションインシュレータの斜視図である。
【発明を実施するための形態】
【０００８】
以下、本発明の実施の形態を図面を参照しつつ説明する。
図１ないし図４において、トロリ線曲げ装置は、前方に開放した筐体１に横方向に対向して組み付けられた一対の把持部材２，２と、筐体１の上部に組み付けられた押圧部材３と、筐体１の下部に組み付けられたストッパ４とを具備する。筐体１は装置の枠体を構成し、垂直の中枠板１ａと、中枠板１ａの上下端部に結合する水平の上枠板１ｂ及び下枠板１ｃと、前後（図２の左右方向）に対向してこれらを結合する側板１ｄとを備える。
【０００９】
一対の把持部材２，２は、筐体１の中枠板１ａの前後方向両端部に配置され、トロリ線Ｔの端部を長さ方向に間隔を置いて固定するものである。把持部材２は、図５に示すように、中枠板１ａに回転自在に枢支される一方の挟持片である基体５と、下端部のヒンジ５ａ，６ａで基体５に上下に回転自在に蝶着された他方の挟持片である押さえ蓋６と、基体５と押さえ蓋６との間にトロリ線を挟んで固定するための固定ねじ７とを具備する。基体５は、前側の略円柱状の基部８と、基部８の中心軸上を後方へ延出して中枠板１ａに軸受け部１０を介して回転自在に支持される回転軸９とを具備する。基部８の中間部には、トロリ線を嵌合させる横方向に直線状に延びた受け溝８ａを備える。受け溝８ａは、トロリ線Ｔの片側半部の断面形状にほぼ対応する断面形状を有し、トロリ線Ｔの係合溝に掛かる係合突条８ｂを有する。押さえ蓋６は、基部８の外周側面に沿って円弧状に湾曲した上端面を備え、基体５の基部８の前面に重合する略矩形板状をなす。押さえ蓋６の中間部には、受け溝８ａに受け入れたトロリ線の残り半部を受け入れる横方向に直線状に連続する受け溝６ｂを備える。受け溝６ｂには、トロリ線Ｔの係合溝に掛かる係合突条６ｃを有する。一方の把持部材２の基部８の後部には、径方向に水平の取付ボルト１２により位置決め片１１が固定されている。位置決め片１１は、把持部材２に受け入れたトロリ線Ｔの先端が当接するように基部８の受け溝８ａの延長位置に直交方向に横断している。
【００１０】
押圧部材３は、図示しない油圧ポンプにつながり、上枠板１ｂ及びその下面に固着された固定フランジ１３の中央部を貫通して固定され、下方へ突出して油圧駆動により進退動させるようにピストンロッド１４ａが出入り自在に挿入されたシリンダ１４と、ピストンロッド１４ａに結合される曲げ型１５と具備する。曲げ型１５は横長の略直方形状をなし、トロリ線を所定形状に折り曲げるように両側面から下方へ傾斜し緩やかに中央に収束する頂部１５ａを有する。
【００１１】
ストッパ４は、把持部材２，２の中間部に臨んで曲げ型１５の頂部１５ａに対向し、筐体１の下枠板１ｃの中央部に立設されている。ストッパ４は、下枠板１ｃに軸周り等間隔に差し込まれる複数の固定ボルトで固定される調整ナット１６と、調整ナット１６上に重合するロックナット１７と、ねじ軸部１８ｂが調整ナット１６及びロックナット１７に螺合し、上端に止め座１８ａを備えた調整ボルト１８とを具備する。調整ボルト４は、調整ナット１６に対して回転させることにより止め座１８ａの上下位置を変更することができ、止め座１８ａの高さ位置を決定したらロックナット１７を締め込んで調整ナット１６に圧接することにより回り止めして固定される。従って、調整ボルト１８は、止め座１８ａにより把持部材２，２間のトロリ線に適正な曲げを形成するための曲げ型１５の下降位置を位置決めする。
【００１２】
このトロリ線曲げ装置でトロリ線Ｔを曲げ加工するには、まず把持部材２の基体５の受け溝８ａに挿入し、トロリ線Ｔの先端を位置決め片１１に当接させて曲げ箇所を位置決めし、押さえ蓋６を基体５に重合させ、両者でトロリ線Ｔを挟み込み、固定ねじ７を締め込んで固定する。このとき、係合突条８ｂをトロリ線Ｔの係合溝Ｔ１に係合させれば、押さえ蓋６と基体５とで挟み込むと、係合突条６ｃも係合溝Ｔ１に係合するので、トロリ線Ｔの上下方向が適正に配置される。
【００１３】
次いで、ストッパ４のストッパボルト１８を回転させると、調整ボルト１８が調整ナット１６に対して上下するので、止め座１８ａの高さ位置を変更でき、ロックナット１７を締め込んで調整ナット１６に圧接させれば、止め座１８ａが所定の高さに固定される。
【００１４】
このようにトロリ線曲げ装置にトロリ線Ｔをセットしてから、油圧ポンプを操作して押圧部材３のシリンダ１４により曲げ型１５を下降させれば、一対の把持部材２，２の中間のトロリ線Ｔの中央部を押し下げて曲げ型１５の下面に沿って押し曲げる。曲げ型１５が下降して、トロリ線Ｔを所定形状に曲げると、図６に示すように、ストッパ４の止め座１８ａにトロリ線Ｔが当接して、曲げ型１５を停止させる。このとき、トロリ線Ｔが曲がり始めると、把持部材２，２の押さえ蓋６と基体５との対向する横方向の長さ範囲でトロリ線Ｔを強固に挟持するので、曲げ型１５とトロリ線Ｔとの間に滑りが生じないし、受け溝８ａの長さ範囲でトロリ線の直線部が確保されて、曲りの前後で湾曲することなく曲げ型１５に沿った所定の角度及び曲率で曲がりが形成される。止め座１８ａの高さ位置を変更すれば、曲げの角度を変更でき、部材を変更することなく、セクションインシュレータに応じた異なる曲りを形成できる。
【符号の説明】
【００１５】
１    筐体
１ａ  中枠板
１ｂ  上枠板
１ｃ  下枠板
１ｄ  側板
２    把持部材
３    押圧部材
４    ストッパ
５    基体
５ａ  ヒンジ
６    押さえ蓋
６ａ  ヒンジ
６ｂ  受け溝
６ｃ  係合突条
７    固定ねじ
８    基部
９    回転軸
８ａ  受け溝
８ｂ  係合突条
１１    位置決め片
１２    取付ボルト
１３    固定フランジ
１４    シリンダ
１４ａ  ピストンロッド
１５    曲げ型
１５ａ  頂部
１６    調整ナット
１７    ロックナット
１８    調整ボルト
１８ａ  止め座
１８ｂ  ねじ軸部
Ｓ    セクションインシュレータ
Ｓ１  絶縁部材
Ｓ２  接続金具
Ｓ３  スライダ
Ｓ４  スライダ
Ｔ    トロリ線
Ｔ１  トロリ線
Ｔ２  トロリ線
【図１】
2019171921.tif 000003
【図２】
2019171921.tif 000004
【図３】
2019171921.tif 000005
【図４】
2019171921.tif 000006
【図５】
2019171921.tif 000007
【図６】
2019171921.tif 000008
【図７】
2019171921.tif 000009